(57)【要約】【課題】電池切れを防止するとともに、電池切れとなったときでもリモコン操作ができる設備機器の管理方法およびそのシステムを提供する。【解決手段】複数のグループに区分された照明と、リモコンと、リモコンからの受信信号の受信の可否の判断、受信信号に基づく各リモコンの使用状態の判断、各照明及び各リモコン間の関連強度データの取得及び前記通信手段への通信内容の決定を行う機器状態整合部６００３と、この機器状態整合部６００３で取得した関連強度データを管理する端末位置管理部６００４と、リモコンが使用不能となったときに、位端末置管理部６００４の関連強度データに基づいて代替リモコンを選択するリモコン検索部６００２と、を備える。【選択図】図４
2006211496.tif 000002
【特許請求の範囲】
【請求項１】
複数のグループに区分され、通信手段を有する設備機器と、前記グループ毎に設けられ、前記各グループの設備機器を各々操作し、通信手段を有するリモコンとを備えた設備機器管理方法において、
前記いずれかのグループの前記リモコンが使用不能となったときに、他のグループに属するリモコンを前記使用不能となったリモコンの代替リモコンとして兼用させることを特徴とする設備機器管理方法。
【請求項２】
前記代替リモコンは、前記各設備機器及び前記各リモコン間の関連強度データに基づいて選択することを特徴とする請求項１記載の設備機器管理方法。
【請求項３】
前記関連強度データは、前記各リモコン間、または、前記各リモコンと前記各設備機器間、または、前記各設備機器間で受信した電波強度データとしたことを特徴とする請求項２記載の設備機器管理方法。
【請求項４】
前記関連強度データは、前記設備機器及び前記リモコンの座標としたことを特徴とする請求項２記載の設備機器管理方法。
【請求項５】
前記座標は、手入力により設定したことを特徴とする請求項４記載の設備機器管理方法。
【請求項６】
前記座標は、前記各設備機器及び前記各リモコンのうち、いずれかを原点として、前記他の設備機器及びリモコンと前記原点とした前記リモコン及び前記設備機器からの電波強度に基づいて設定したことを特徴とする請求項４記載の設備機器管理方法。
【請求項７】
前記代替リモコンは、前記使用不能となったリモコンと他のリモコン間、または、前記使用不能となった前記他のリモコンの属する前記設備機器間の電波強度を前記電波強度データを参照し、電波強度の強い方の前記他のリモコンとしたことを特徴とする請求項３記載の設備機器管理方法。
【請求項８】
前記代替リモコンは、前記使用不能となったリモコンと前記他のリモコンとの距離を、前記座標から求め、距離の近い方のリモコンとしたことを特徴とする請求項５または６記載の設備機器管理方法。
【請求項９】
前記代替リモコンは、前記不使用リモコンが属する前記グループの設備機器と前記他のリモコンとの距離を、前記座標からそれぞれ求め、距離の近い方のリモコンとしたことを特徴とする請求項５または６記載の設備機器管理方法。
【請求項１０】
前記代替リモコンは、前記使用不能リモコンが属する前記グループと前記他のリモコンが属する各グループの前記設備機器のそれぞれの中心座標を、請求項５または６記載の前記座標から求め、さらに、前記使用不能リモコンが属するグループの前記設備機器の中心座標と他のグループの設備機器の中心座標間の距離を求め、前記距離が近い方のグループに属するリモコンとしたことを特徴とする請求項２記載の設備機器管理方法。
【請求項１１】
前記代替リモコンは、前記使用不能リモコンが属するグループに隣接する他グループのうち設備機器の台数が多い方のグループに属するリモコンとしたことを特徴とする請求項２記載の設備機器管理方法。
【請求項１２】
前記代替リモコンが前記不能のリモコンの代替を兼ねているときは、前記代替リモコンの前記表示手段に非常時状態の表示を行うことを特徴とする請求項１乃至１１のいずれかに記載の設備機器管理方法。
【請求項１３】
前記各リモコンのいずれかが使用不能となったときに、前記使用不能となった前記リモコンのグループに属する前記設備機器又は前記他のリモコンが前記代替リモコンの操作信号を受け入れることを特徴とする請求項１乃至１２のいずれかに記載の設備機器管理方法。
【請求項１４】
前記各リモコンのいずれかの電池５０１２の電圧に基づいて、送受信不能または出力操作不能になると予測したときに、前記出力操作不能になると予測されたリモコンが出力不能となる前に、使用不能予告の合図を送信することを特徴とする請求項１乃至１３のいずれかに記載の設備機器管理方法。
【請求項１５】
前記使用不能の合図を、前記各設備機器と前記出力不能と予測されたリモコン間の定常状態合わせ送受信の間隔を意図的に長くすることによって行うことを特徴とする請求項１４記載の設備機器管理方法。
【請求項１６】
前記送受信の意図的な間隔の引き伸ばしを、前記出力不能と予測されたリモコンの不能の度合いに対応する所定の評価に応じて徐々に引き延ばすことを特徴とする請求項１５記載の設備機器管理方法。
【請求項１７】
前記リモコンの使用不能の予告の合図を、前記代替リモコンに表示させることを特徴とする請求項１４乃至１６のいずれかに記載の設備機器管理方法。
【請求項１８】
前記使用不能のリモコンが復帰したときに、復帰合図を送信させることを特徴とする請求項１乃至１７のいずれかに記載の設備機器管理方法。
【請求項１９】
前記使用不能のリモコンからの送受信が開始されたことを前記復帰合図とみなすことを特徴とする請求項１８記載の設備機器管理方法。
【請求項２０】
複数のグループに区分され、通信手段を有する設備機器と、前記グループ毎に設けられ、前記各グループの設備機器を各々操作し、通信手段を有するリモコンとを備えた設備機器管理システムにおいて、
前記設備機器、または、前記リモコンは、前記いずれかのグループの前記リモコンが使用不能となったときに、他のグループに属するリモコンを前記使用不能となったリモコンの代替リモコンとして兼用させる管理手段を備えたことを特徴とする設備機器管理システム。
【請求項２１】
前記管理手段は、前記各リモコンからの受信信号の受信の可否の判断、前記受信信号に基づく前記各リモコンの使用状態の判断、前記各設備機器及び前記各リモコン間の関連強度データの取得及び前記通信手段への通信内容の決定を行う機器状態整合部と、
この機器状態整合部で取得した前記関連強度データを管理する位置管理部と、
前記リモコンが使用不能となったときに、前記位置管理部の前記関連強度データに基づいて代替リモコンを選択するリモコン検索部と、
を備えたことを特徴とする請求項２０記載の設備機器管理システム。
【請求項２２】
前記関連強度データは、前記機器状態整合部が前記各リモコン間、または、前記各リモコンと前記各設備機器間、または、前記各設備機器間で受信した電波強度データとしたことを特徴とする請求項２１記載の設備機器管理システム。
【請求項２３】
前記リモコン検索部による前記代替リモコンの選択は、前記使用不能となったリモコンと他のリモコン間、または、前記使用不能となった前記他のリモコンの属する前記設備機器間の電波強度を前記電波強度データを参照し、電波強度の強い方の前記他のリモコンを前記代替リモコンとしたことを特徴とする請求項２２記載の設備機器管理システム。
【請求項２４】
前記関連強度データは、前記設備機器及び前記リモコンの座標としたことを特徴とする請求項２１記載の設備機器管理システム。
【請求項２５】
前記座標は、手入力により設定したことを特徴とする請求項２４記載の設備機器管理システム。
【請求項２６】
前記座標は、前記機器状態整合部により、前記各設備機器及び前記各リモコンのうち、いずれかを原点として、前記他の設備機器及びリモコンと前記原点とした前記リモコン及び前記設備機器からの電波強度に基づいて設定したことを特徴とする請求項２４記載の設備機器管理システム。
【請求項２７】
前記リモコン検索部による前記代替リモコンの選択は、前記使用不能となったリモコンと他のリモコンとの距離を、前記座標から求め、距離の近い方のリモコンを前記代替リモコンとしたことを特徴とする請求項２５または２６記載の設備機器管理システム。
【請求項２８】
前記不使用リモコンが属するグループの設備機器と他のリモコンとの距離を、請求項２６または２７記載の前記座標からそれぞれ求め、距離の近い方のリモコンを前記代替リモコンとしたことを特徴とする請求項２１記載の設備機器管理システム。
【請求項２９】
前記リモコン検索部による前記代替リモコンの選択は、前記使用不能リモコンが属するグループと他のリモコンが属する各グループの設備機器のそれぞれの中心座標を、請求項２６または２７記載の前記座標から求め、さらに、前記使用不能リモコンが属するグループの前記設備機器の中心座標と他のグループの設備機器の中心座標間の距離を求め、前記距離が近い方のグループに属するリモコンとしたことを特徴とする請求項２１記載の設備機器管理システム。
【請求項３０】
前記リモコン検索部による前記代替リモコンの選択は、前記使用不能リモコンが属するグループに隣接する他グループのうち設備機器の台数が多い方のグループに属するリモコンとしたことを特徴とする請求項２１記載の設備機器管理システム。
【請求項３１】
前記各リモコンは表示手段を備え、前記代替リモコンが前記不能のリモコンの代替を兼ねているときは、前記代替リモコンの前記表示手段に非常時状態の表示を行うことを特徴とする請求項２０乃至３０のいずれかに記載の設備機器管理システム。
【請求項３２】
前記各リモコンのいずれかが使用不能となったときに、前記使用不能となった前記リモコンのグループに属する前記設備機器又は前記リモコンの前記機器状態整合部が前記代替リモコンの操作信号を受け入れることを特徴とする請求項２１乃至３１のいずれかに記載の設備機器管理システム。
【請求項３３】
前記各リモコンは電池の電圧を検知する電圧検知手段を備え、
前記各リモコンのいずれかの管理手段が前記電圧検知手段の検知電圧に基づいて、出力操作不能になると予測したときに、前記出力操作不能になると予測されたリモコンが出力不能となるまで、使用不能予告の合図を前記リモコンの前記通信手段から送信させることを特徴とする請求項２１乃至３２のいずれかに記載の設備機器管理システム。
【請求項３４】
前記管理手段は、前記使用不能の合図は前記各設備機器と前記出力不能と予測されたリモコン間の定常状態合わせ送受信の間隔を意図的に長くすることによって行うことを特徴とする請求項３３記載の設備機器管理システム。
【請求項３５】
前記管理手段は、前記送受信の意図的な間隔の引き伸ばしを、前記出力不能と予測されたリモコンの不能の度合いに対応する所定の評価に応じて徐々に引き延ばすことを特徴とする請求項３４記載の設備機器管理システム。
【請求項３６】
前記リモコンの使用不能の予告の合図を、前記代替リモコンの前記表示手段に表示させることを特徴とする請求項３３乃至３５のいずれかに記載の設備機器管理システム。
【請求項３７】
前記使用不能のリモコンが復帰したときに、前記管理手段が復帰合図を前記通信手段から送信させることを特徴とする請求項１〜３６のいずれかに記載の設備機器管理システム。
【請求項３８】
前記各設備機器または各リモコンの前記管理手段は、前記使用不能のリモコンからの送受信が開始されたことを前記復帰合図とみなすことを特徴とする請求項３７記載の設備機器管理システム。
【発明の詳細な説明】
【技術分野】
【０００１】
この発明は設備機器の管理方法およびそのシステムに関する。
【背景技術】
【０００２】
従来の無線式住宅設備システムは、環境検出装置はセンサ手段、送信手段、送信間隔制御手段及び環境検出値記憶手段を備え住宅設備機器は受信手段を備えている。そして環境検出装置から住宅設備機器に対する送信間隔を検出値及びその変化率に応じて制御して電池の消費電力の低減をしている。（例えば、特許文献１参照）。
【０００３】
また、従来のリモコン制御システムでは、リモコン制御機器が、駆動用電池が使用開始してから消耗するまでの間にリモコン装置がリモコン信号を送信可能な標準累積送信可能回数が記憶された記憶素子と、リモコン装置から送信されたリモコン信号を受信した累積受信回数と、記憶素子に記憶された標準累積送信可能回数とを比較して、駆動用電池の消耗時期の到来を報知する報知手段とを備えている（例えば、特許文献２参照）。
【０００４】
【特許文献１】特開平１１−９４３３４号公報（段落００１７〜００３４図１）
【特許文献２】特開２００３−１５３３４６号公報（段落０００７〜００２０図１）
【発明の開示】
【発明が解決しようとする課題】
【０００５】
特許文献１の従来の無線式住宅設備システムでは、センサ手段等の消費電力を低減するが、電池切れになったときは全く機能しなくなるという問題があった。
また、特許文献２の従来のリモコン制御システムでは、駆動用電池の消耗時期の到来を報知するものの、構成が複雑であるという問題があった。
【０００６】
この発明は、上記の課題を解決するためになされたもので、電池切れを防止するとともに、電池切れとなったときでもリモコン操作ができる設備機器の管理方法およびそのシステムを提供することを目的とする。
【課題を解決するための手段】
【０００７】
この発明に係る設備機器管理方法は、複数のグループに区分され、通信手段を有する設備機器と、前記グループ毎に設けられ、前記各グループの設備機器を各々操作し、通信手段を有するリモコンとを備えた設備機器管理方法において、前記いずれかのグループの前記リモコンが使用不能となったときに、他のグループに属するリモコンを前記使用不能となったリモコンの代替リモコンとして兼用させるものである。
【発明の効果】
【０００８】
この発明は、複数のグループに区分され、通信手段を有する設備機器と、前記グループ毎に設けられ、前記各グループの設備機器を各々操作し、通信手段を有するリモコンとを備えた設備機器管理方法において、前記いずれかのグループの前記リモコンが使用不能となったときに、他のグループに属するリモコンを前記使用不能となったリモコンの代替リモコンとして兼用させるので、電池切れとなったときでもリモコン操作をすることができる。
【発明を実施するための最良の形態】
【０００９】
実施の形態１．
この発明は設備機器管理に関する発明であるが、設備機器として照明を例に説明する。
図１は実施の形態１を示す設備機器のシステム構成概念図、図２はリモコンと照明との配置例の説明図、図３はリモコンの構成図、図４は照明の端末構成図、図５はリモコンのソフトウエア構成図、図６は照明端末のソフトウエア構成図である。
【００１０】
図１（ａ）は、複数のリモコン１００８と副リモコン１００９と複数の照明（１）１００１、照明（２）１００２から構成された照明システムを示す。
図において、リモコン１００８は照明１００１の操作、副リモコン１００９は照明１００１、１００２の両方の操作を行っている。複数のリモコン１００８と副リモコン１００９があるので、リモコン１００８で照明を消したことを副リモコン１００９にも反映すると便利であり、このような反映を状態合わせという。この状態合わせのために副リモコン１００９はユーザに直接操作されていてもいなくても照明（１）１００１や照明器具（２）１００２との状態応答１００４をお互いに行い現在状態を取得するようにしている。リモコン１００８及び副リモコン１００９と照明（１）１００１、照明（２）１００２の各々は通信手段を備え無線通信は、ＩＥＥＥ８０２．１１ｂ（無線ＬＡＮ）やＩＥＥＥ８０２．１５．４（ＺｉｇＢｅｅ）等で行われる。
【００１１】
図１（ｂ）は家庭で一階のリモコン１００８と二階の副リモコン１００９と階段の照明器具２００２から構成される照明システムの例を示す。一階で照明器具２００２を点灯させ、階段を登ってこの照明器具２００２を消灯することがよくあるが、このとき、図１（ａ）の例と同様に、状態合わせを行い、リモコン１００８で照明を消したことを副リモコン１００９にも反映させている。
【００１２】
図１（ｃ）はビル等における複数のリモコン１００８及び副リモコン１００９と複数の照明器具を有し、一括操作される一括操作グループ３００２から構成される照明システムの例を示す。オフィス居室３００１が広い場合二つの出入口にリモコン１００８及び副リモコン１００９があり、一括操作グループ３００２内の照明器具を点灯しても消灯してもよいようになっている。このとき、図１（ａ）の例と同様に、状態合わせを行い、リモコン１００８で照明器具を消したことを副リモコン１００９にも反映させており、状態合わせのために副リモコン１００９はユーザに直接操作されていてもいなくても照明器具の現在状態を取得している。
【００１３】
図２において、オフィス居室１３００１内に、複数のグループＡ１３００１、グループＢ１３０１４、グループＣ１３０１５に区分され、グループＡ１３０１４内には、照明（３）１３００３、照明（４）１３００４（これらを照明Ａ１３０１３ａと称す）が配置され、グループＢ１３０１４内には照明（５）１３００５、照明（８）１３００６（これらを照明Ｂ１３０１４ａと称す）が配置され、また、グループＣ１３０１５内には照明（６）１３００８照明（７）１３００９照明（９）１３０１０照明（１０）１３０１１（これらを照明Ｃ１３０１５ａと称す）が配置されている。さらに、グループＡ１３００１、グループＢ１３０１４、グループＣ１３０１５に、リモコン（１）１３００２、リモコン（１）１３００７、リモコン（１１）１３０１２が配置されている。
【００１４】
図３において、例えば、リモコン（１）１３００２の構成は、無線通信を行い、操作対象の照明Ａ１３０１３ａに指令を送る一方、照明Ａ１３０１３ａからの応答により照明Ａ１３０１３ａの現在状態を取得する無線送受信器５００９、ユーザが操作する操作ボタン５０１０、リモコン（１）１３００２の状態や操作対象の照明等の状態を表示する液晶５０１１リモコン（１）１３００２の動作を規定するマイコン（以下、マイコンと称す）５０１５、無線送受信器５００９と液晶５０１１とマイコン５０１５に電力を供給する電池５０１２から構成される。
【００１５】
マイコン５０１５においては、マイコン５０１５上で動作するソフトウエアの構成として図５のように示されるので、図３、図５を合わせて説明する。マイコン５０１５およびリモコンソフトは、無線送受信器５００９への送信要求および受信受け付けを行う通信管理部５００５とマイコン５０１５上で動作するソフトウエアの一部で操作ボタン５０１０の状態を監視することによりユーザのリモコン（１）１３００２の操作内容を監視する接点入出力部５００６と液晶５０１１に対して表示内容を指示し更新する液晶管理部５００７と、他のリモコン（２）１３００７リモコン（１１）３０１から通信管理部を介した無線送受信器の受信信号の受信の可否の判断、受信信号に基づく他のリモコン（２）１３００７リモコン（１１）１３０１２の使用状態の判断、リモコン（１）１３００２自体の使用状態の判断、リモコン（１）１３００２リモコン（２）１３００７リモコン（１１）１３０１２照明Ａ１３０１３ａ、照明Ｂ１３０１４ａ、照明Ｃ１３０１５ａの各々の間の関連強度データとしてのこれらの位置等の取得及び記憶、通信管理部５００５を通じた無線送受信器５００９の入力に基づく照明Ａ１３０１３ａ、照明Ｂ１３０１４ａ照明Ｃ１３０１５ａの状態判定と記憶と、接点入出力部５００６からの検知に基づくリモコンへの操作内容判定およびその作用としての照明Ａ１３０１３ａ、照明Ｂ１３０１４ａ、照明Ｃ１３０１５ａの変更要求判定と、リモコン（１）１３００２自体の状態、または、接点入出力部５００６からの照明等の変更要求判定等に基づく通信管理部５００５への無線通信内容（以下電文と記載）の決定等を行う機器状態整合部５００３と、機器状態整合部で取得した位置管理表を管理する位置管理部である端末位置管理部５００４と、機器状態整合部５００３が記憶している照明等の状態を加味し、液晶管理部５００７を通じて液晶５０１１に表示する内容を具体的に演算する表示管理部５００２とが設けられている。
なお、図５は図３のマイコン５０１５上で動作する各ソフトウエアをリモコンソフトウエア構成として示したものである。また、リモコン（２）１３００７リモコン（１１）３０１の構成はリモコン（１）１３００２と同じである。
【００１６】
図４において、例えば、照明（３）１３００３の照明器具６０１０に設けられている照明端末６００１の構成は、リモコン（１）１３００２リモコン（２）１３００７リモコン（１１）１３０１２間との無線通信を行い、リモコン（１）１３００２、リモコン（２）１３００７、リモコン（１１）１３０１２からの指令を受信するとともに現在状態を送信する無線送受信器６００９と照明端末６００１の動作を規定するマイコン５０１５と、無線送受信器６００９と照明器具６０１０とマイコン５０１５に電力を供給する電源６０１２とから構成される。
【００１７】
マイコン５０１５においては、マイコン６０１５上で動作するソフトウエアの構成として図６のように示されるので、図４、図６を合わせて説明する。マイコン６０１５およびリモコンソフトは、無線送受信器６００９への受信受け付けおよび送信要求を行う通信管理部６００５と照明器具６０１０の状態を監視することによりユーザの照明器具６０１０の操作内容を監視する接点入出力部６００６とリモコン（１）１３００２リモコン（２）１３００７リモコン（１１）１３０１２から通信管理部６００５を介した無線送受信器６００９の受信信号の受信の可否の判断、受信信号に基づくリモコン（１）１３００２リモコン（２）１３００７リモコン（１１）１３０１２の使用状態の判断、リモコン（１）１３００２リモコン（２）１３００７リモコン（１１）１３０１２照明Ａ１３０１３ａ、照明Ｂ１３０１４ａ、照明Ｃ１３０１５ａの各々の間の位置等の取得及び記憶、リモコン（１）１３００２リモコン（２）１３００７リモコン（１１）１３０１２の使用不能、代替等の使用状態、接点入出力部６００６からの検知に基づく照明器具６０１０への操作内容判定およびその作用としての照明等の変更要求に基づく通信管理部６００５への無線通信内容の決定等を行う機器状態整合部６００３と、機器状態整合部で取得した位置管理表を管理する端末位置管理部６００４と、例えば、リモコン（１）１３００２が使用不能となったときに、端末位置管理部６００４の位置管理表に基づいて代替リモコンを選択し、機器状態整合部６００３に通報するリモコン検索部６００２とが備えられている。
なお、図照明Ｂ１３０１４ａ照明Ｃ１３０１５ａの構成も同じである。
【００１８】
次に、この発明の実施の形態１の照明管理システムの動作について図３図４、図７〜図９により説明する。
図７は照明の動作フローチャート、図８は代替リモコンの選択を示すためのリモコンと照明の配置図、図９は照明Ａ１３０１３ａのマイコン６０１５に設けられた端末位置管理部６００４の端末位置管理表であり、図９（ａ）は通常の場合、図９（ｂ）はリモコンが不能となったときを示す。図８は図２にリモコンの選択の説明の矢印を追加したものであり、構成の説明を省略する。
【００１９】
図９（ａ）、（ｂ）に示す端末位置管理表７００１において、機器種７００３の欄は、図８に示すリモコン（１）１３００２リモコン（２）１３００７リモコン（１１）１３０１２照明Ａ１３０１３ａ、照明Ｂ１３０１４ａ、照明Ｃ１３０１５ａを示しており、これらにそれぞれ対応するＩＤ番号が機器ＩＤ７００２の欄に示されている。また、グル−プ７００４の欄はグループＡ１３０１３、グループＢ１３０１４、グループＣ１３０１５との対応を示す。位置７００５の欄は、機器種７００３の欄に示したリモコン（１）１３００２リモコン（２）１３００７リモコン（１１）１３０１２照明Ａ１３０１３ａ、照明Ｂ１３０１４ａ、照明Ｃ１３０１５ａの各座標（Ｘ、Ｙ）を示す。状態７００６の欄は、使用不能か良好かを示す。図９（ｂ）はグループＡ１３０１３のリモコン（１）１３００２が使用不能７００７となり、代替リモコンとしてグループＢ１３０１４のリモコン（２）１３００７が選択された状態を示している。
【００２０】
端末位置管理表７００１の位置７００５の座標（Ｘ、Ｙ）は、手入力による設定するか、または、リモコン（１）１３００２の機器状態整合部５００３か照明（１）等の機器状態整合部６００３により、リモコン（１）１３００２リモコン（２）１３００７リモコン（１１）１３０１２照明Ａ１３０１３ａ、照明Ｂ１３０１４ａ、照明Ｃ１３０１５ａのいずれかを原点として、この原点としたものとリモコン（１）１３００２リモコン（２）１３００７リモコン（１１）１３０１２照明Ａ１３０１３ａ、照明Ｂ１３０１４ａ、照明Ｃ１３０１５ａの各々の間で送受信を行い、そのときの電波強度に基づいて設定する。
【００２１】
照明管理システムの動作は、例えば、照明（１）の照明端末の機器状態整合部６００３がリモコン（１）１３００２の通信受信を待ち（Ｓ０１）、通信受信があるとその受信の解析を行う（Ｓ０２）。受信解析では、まず、リモコン（１）１３００２、リモコン（２）、リモコン（３）が操作されたかどうかを判断し（Ｓ０３）、該当するリモコン（１）１３００２かどうかを端末位置管理部６００４の端末位置管理表７００１（図９）を参照し判断する（Ｓ０５）。そして、該当するときは、照明操作を行う（Ｓ０８）。該当するものでないときは、代替リモコンであるかどうかを端末位置管理表７００１（図９）を参照し判断する（Ｓ０６）。代替リモコンであれば照明操作（Ｓ０８）を行う。
【００２２】
次に、リモコン（１）１３００２の受信信号に基づいてリモコン（１）１３００２の操作不能を判断し（Ｓ０４）、操作不能ならば該当リモコンかどうか端末位置管理表７００１により判断する（Ｓ０７）。該当するときに、リモコン検索部６００２は端末位置管理部６００４の端末位置管理表７００１の位置７００５欄で、座標から使用不能となったリモコン（１）１３００２と他のリモコン（１）１３００７の距離（１６００１）、リモコン（１）１３００２とリモコン（１１）１３０１２との距離（１６００２）を算出して（Ｓ０９）、距離の近いリモコン（１）１３００７を代替リモコンとする（図９（ｂ）。
【００２３】
次に、リモコンの操作と照明の動作について平常時、不能判定時、代替リモコン選定後の動作を図１０〜図１２により説明する。図１０は平常時のリモコン操作の模式図、図１１はリモコンの不能通知の模式図、図１２はリモコンの不能時のリモコン操作の模式図である。
【００２４】
図１０は例えば、グループＡ１３０１３とグループＢ１３０１４における平常時にリモコン（１）１３００２、リモコン（１）１３００７、照明Ａ１３０１３ａ及び照明Ｂ１３０１４ａの動作を示す。この動作はリモコン（１）１３００２の機器状態整合部５００３、照明（３）１３００３、照明（４）１３００４の機器状態整合部６００３で行われる。平常時にリモコン（１）１３００２を操作したときは、図１０（ａ）に示すようにグループＡ１３０１３の照明（３）１３００３、照明（４）１３００４は主に機器状態整合部６００３により照明操作が行われるが、グループＢ１３０１４のリモコン（１）１３００７、照明（５）、照明（８）は無視し、照明操作は行われない。一方、平常時にリモコン（１）１３００２を操作したときは、図１０（ａ）に示すように、グループＡ１３０１３の照明（３）１３００３、照明（４）１３００４は照明操作が行われるが、グループＢ１３０１４のリモコン（１）１３００７、照明（５）、照明（８）は無視し、照明操作を行わない。一方、リモコン（１）１３００７を操作したときは、図１０（ｂ）に示すように照明（５）、照明（８）は照明操作が行われるが、リモコン（１）１３００２、照明（３）１３００３、照明（４）１３００４は無視し、照明操作を行わない。
【００２５】
また、例えば、リモコン（１）１３００２が不能となったときは、図１１に示すように、リモコン（１）１３００２の不能判定が一斉同報送信され、グループＡ１３０１３の照明（３）１３００３、照明（４）１３００４のリモコン検索部６００２が代替リモコンを検索するが、一方、グループＢ１３０１４のリモコン（１）１３００７、照明（５）、照明（８）は無視する。そして、図１２に示すように、リモコン（１）１３００２の代替リモコンとしてリモコン（１）１３００７が選択されると、リモコン（１）１３００７を操作するとグループＡ１３０１３の照明（３）１３００３、照明（４）１３００４、グループＢ１３０１４の照明（５）、照明（８）は照明操作を行う。
【００２６】
また、リモコン（１）１３００２が使用不能となったときは、代替リモコン（１）１３００７の液晶５００１に非常時状態が表示され、復帰したときに、機器状態整合部５００３は、通信管理部５００５に復帰合図を無線送受信器５００９から送信させる。そして、他のリモコン（１）１３００７等の機器状態整合部５００３、照明（１）等の機器状態整合部６００３がリモコン（１）１３００２からの送受信が開始されたことを復帰合図とみなす。このとき、リモコン（１）１３００７の液晶管理部５００７を介して液晶５０１１に復帰表示をさせてもよい。
【００２７】
以上のように、リモコン（１）１３００２、リモコン（１）１３００７、リモコン（３）からの受信信号の受信の可否の判断、受信信号に基づく各リモコンの使用状態の判断、照明Ａ１３０１３ａ及びリモコン（１）１３００２等の関連強度データの取得及び通信内容の決定を行う機器状態整合部５００３、６００３と、この機器状態整合部５００３、６００３で取得した関連強度データを管理する端末位置管理部５００３、６００４と、例えば、リモコン（１）１３００２が使用不能となったときに、端末位置管理部６００４の関連強度データに基づいて代替リモコンを選択するリモコン検索部６００２と、を備え、例えば、グループＡ１３０１３のリモコン（１）１３００２が使用不能となったときに、例えば、他のグループＢ１３０１４に属するリモコン（１）１３００７を使用不能となったリモコン（１）１３００２の代替リモコンとして兼用させるので、電池切れでも照明Ａ１３０１３ａを操作することができる。
【００２８】
また、関連強度データは、各照明及び各リモコンの座標としたので、代替リモコンの検索のデータを容易に得ることができる。
また、座標は、手入力により設定したので、代替リモコンの検索のデータを容易に得ることができる。
また、座標は、機器状態整合部６００３により、各照明及び各リモコンのうち、いずれかを原点として、他の照明及びリモコンと原点としたリモコン及び照明からの電波強度に基づいて設定したので、代替リモコンの検索のデータを容易に得ることができる。
また、リモコン検索部６００２による代替リモコンの選択は、使用不能となったリモコンと他のリモコンとの距離を、座標から求め、距離の近い方のリモコンを代替リモコンとしたので、代替リモコンの選択を容易にすることができる。
【００２９】
また、各リモコンは液晶５０１１を備え、代替リモコンが不能のリモコンの代替を兼ねているときは、代替リモコンの液晶５０１１に非常時状態の表示を行うので、代替リモコンがすぐわかり使い勝手をよくすることができる。
また、各リモコンのいずれかが使用不能となったときに、使用不能となったリモコンのグループに属する照明又はリモコンの機器状態整合部５００３が代替リモコンの操作信号を受け入れるので、通信を簡単にすることができる。
また、各照明または各リモコンの機器状態整合部５００３、６００３は、使用不能のリモコンからの送受信が開始されたことを復帰合図とみなすので、使用不能のリモコンの復帰の情報を簡単に得ることができる。
【００３０】
なお、本実施の形態では、リモコン検索部６００２は端末位置管理部６００４の端末位置管理表７００１により、座標から使用不能となったリモコン（１）１３００２と他のリモコン（１）１３００７とリモコン（１１）１３０１２との距離を算出して、距離の近いリモコン（１）１３００７を代替リモコンとしたが、例えば、図１３に示すように、使用不能となったリモコン（１）１３００２が属するグループ（１）の照明（４）１３００４、照明（４）１３００４と他のリモコン（１）１３００７との距離（１４００１）と照明（４）１３００４、照明（４）１３００４と他のリモコン（１１）１３０１２との距離（１４００２）を端末位置管理表７００１の位置座標から各々求め、距離の近い方のリモコン（１）１３００７を代替リモコンとしてもよい。このようにして、代替リモコンの選択を適切にすることができる。
【００３１】
また、例えば、図１４に示すように、使用不能のリモコン（１）１３００２が属するグループ（１）の照明（３）１３００３、照明（４）１３００４と他のリモコン（１）１３００７が属する照明（５）、照明（８）及びリモコン（１１）１３０１２が属する照明（６）、照明（７）、照明（９）、照明（１０）の各々の中心座標を、端末位置管理表７００１の位置座標から各々求め、さらに、使用不能のリモコン（１）１３００２が属するグループ（１）の中心座標とグループＢ１３０１４の中心座標間の距離（１５００１）及びグループ（１）の中心座標とグループ（１１）とのの中心座標間の距離（１５００２）を求め、距離が近い方のグループＢ１３０１４に属するリモコン（１）１３００７としてもよい。このようにして、代替リモコンの選択をより適切にすることができる。
【００３２】
また、例えば、使用不能のリモコン（１）１３００２が属するグループ（１）に隣接する他グループＢ１３０１４、グループＣ１３０１５のうち照明の台数が多い方のグループＣ１３０１５に属するリモコン（１１）１３０１２としてもよい。このようにして、代替リモコンの選択をさらに、適切にすることができる。
【００３３】
また、関連強度データは、例えば、照明（１）の照明端末の機器状態整合部６００３が各リモコン（１）１３００２、リモコン（１）１３００７、リモコン（３）の相互間、または、各リモコン（１）１３００２、リモコン（１）１３００７、リモコン（３）と照明Ａ１３０１３ａ、照明Ｂ１３０１４ａ、照明Ｃ１３０１５ａとの相互間（及び前記各設備機器間）で各々受信した電波強度データとし、端末位置管理表の代わりに端末電波強度管理表を図１５に示すものとする。そして、例えば、リモコン（１）１３００２が使用不能となったときは、使用不能となったリモコン（１）１３００２と他のリモコン（１）１３００７、リモコン（１１）１３０１２間の電波強度を図１５の端末電波強度管理表９００１で比較し、電波強度の高いリモコン（１１）１３０１２を代理リモコンとして選択する。このようにして、代替リモコンの検索のデータを容易に得ることができる。
【００３４】
また、使用不能となったリモコン（１）１３００２と他のグループＢ１３０１４の照明Ｂ１３０１４ａ間とグループＣ１３０１５の照明Ｃ１３０１５ａ間の電波強度を端末電波強度管理表９００１で比較し、電波強度の強い方のグループＣ１３０１５に属するリモコン（１１）１３０１２を代替リモコンとしてもよい。このようにして、代替リモコンの選択を容易にすることができる。
また、端末管理表を備えずに、その都度計算してもよい。
【００３５】
本実施の形態では、リモコン検索部６００２を照明Ａ１３０１３ａ等に設けたが、リモコン（１）１３００２等に設けてもよい。
また、リモコン検索部６００２を、照明Ａ１３０１３ａ等の全てに設けたが、代表の一つに設けてもよい。
また、設備機器として照明について示したが、照明のかわりに空調等の設備機器であってもよい。また、これら無線有線に限らず適用可能である。
【００３６】
実施の形態２．
実施の形態１ではリモコンの電池がなくなり、使用不能となったときに、他の代替リモコンで操作するようにしたが、本実施の形態は使用不能となる前に使用不能の予告をするものである。
図１６は実施の形態２を示すリモコンの構成図、図１７はソフトウエア構成図である。
図１６は基本的には、実施の形態１の図３に電源電圧検知部４０１３と電源監視部４００４を追加したものであるので、図３と同一または相当部分には同一の符号を付し説明を省略する。リモコン４００１は例えば実施の形態１のリモコン（２）１３００７の構成に
電源電圧検知部４０１３と電源監視部４００４を追加したものとし、また、図２に示す配置とする。図１６において、電源電圧検知器４００８は電池５０１２の電圧を検知する。
【００３７】
マイコン４０１５においては、マイコン４０１５上で動作するソフトウエアの構成として図１７のように示されるので、図１６、図１７を合わせて説明する。マイコン４０１５およびリモコンソフトは、電源電圧検知器４００８の状態を監視する電源監視部が設けられ、また、電源監視部４００４を通じた電源電圧検知器５００８の入力と通信管理部５００５を通じた無線送受信器４００９の入出力と接点入出力部５００６を通じた操作ボタン５０１０の検知とを統合し、電源監視部４００４からの入力に基づく無線通信可否決定と、他のリモコン（１）１３００３リモコン（１１）３０１から通信管理部を介した無線送受信器の受信信号の受信の可否の判断、受信信号に基づく他のリモコン（１）１３００２リモコン（１１）１３０１２の使用状態の判断、リモコン（２）１３００７自体の使用状態を判断、リモコン（１）１３００２リモコン（２）１３００７リモコン（１１）１３０１２照明Ａ１３０１３ａ、照明Ｂ１３０１４ａ、照明Ｃ１３０１５ａの各々の間の関連強度データとしてこれらの位置等の取得及び記憶、通信管理部５００５を通じた無線送受信器５００９の入力に基づく照明Ａ、照明Ｂ１３０１４ａ、照明Ｃ１３０１５ａの状態判定と記憶と、接点入出力部５００６からの検知に基づくリモコン（１）１３００２、リモコン（１１）１３０１２への操作内容判定およびその作用としての照明等の変更要求判定と、リモコン（２）１３００７自体の状態、または、接点入出力部５００６からの照明等の変更要求判定等に基づく通信管理部５００５への無線通信内容（以下電文と記載）の決定等を行う機器状態整合部５００３が設けられている。
【００３８】
なお、リモコン（１）１３００２、リモコン（１１）１３０１２の構成もリモコン（２）１３００７と同様に電源電圧検知部４０１３と電源監視部４００４を追加したものを使用する。
【００３９】
次に、この発明の実施の形態２の照明管理システムの動作について図１６、図１８〜図２２により説明する。
図１８はリモコンの動作フローチャート、図１９は電源管理表、図２０はリモコンからの送信間隔を示す図、図２１は電池電圧と送信間隔の関係図である。
【００４０】
本実施の形態の動作概要は、電池５０１２の電源レベルに応じて機器間の通信間隔を長くするとともに、電池不能を予告するものであり、送信間隔は、図１９の電源管理表８００１に示すように、電源レベルの欄８００２は電圧レベルの閾値１００％が最高で、９０％をレベル１８５％をレベル２とし、「それ以下」８００４は８０％未満で「送信不可」８００５であり、状態整合通信を許可しない。また、電源レベル８００２に対応して送信間隔が定められており、これは状態整合通信の推奨間隔であり、電源レベルが最高の１００％のときの１００ｍｓが最頻の間隔である。
【００４１】
また、図２０は送信間隔を時間とともに長くしている様子を示し、図２１は送信間隔を電池電圧低下とともに長くしており、通常の電源レベル１００％では、送信間隔は通常であり、電源管理表８００１の電源レベル１（９０％）では通信間隔が５００ｍｓで間隔１とし、レベル２（８５％）では送信間隔５０００ｍｓで間隔２としている。そして、電池５０１２の電圧低下に応じて送信間隔を長くするとともに、例えば、状態合わせ等の定常送信が可能である電源レベル２から電池不能予告を行う。そして、電池５０１２の電圧低下に応じて送信間隔を徐々に引き延ばすので、これにより、使用不能の予告をせずに、使用不能の予告をすることになる。
【００４２】
また、電源監視部４００４の処理において、Ｓ２２〜Ｓ２４では、リモコン（１）１３００２等の電源監視部４００４、機器状態整合部４００３及び通信管理部５００５は、図１８に示すように、各々ソフトウエア構成の一部であり、機能上は各個別にほぼ独立して並行しながら動作している。このような並行動作を実現する方法として、リアルタイムＯＳによるマルチタスク・プログラミング手法が広く用いられている。これはマイコン内部で、所定の短い時間毎に処理内容（文脈）を切り替える仕組みを用意し、あたかも複数の処理を同時に並行して行っているかのようにふるまう手法で、時分割処理とも呼ばれる。もちろん、これらの処理を直列的に実行するように書換えることによりリアルタイム  ＯＳやマルチタスク・プログラミングによらない実現も容易に構築できることはいうまでもない。
【００４３】
マルチタスク・プログラミングによる利点は、独立した処理を明確に独立して記載できる点、および、わずかに各処理が関連しあう部分をも明確に記載できる点、これらによりソフトウエアの設計および理解およびメンテナンスがしやすくなる点である。
【００４４】
以上のような前提で、電源監視部４００４機器状態整合部４００３及び通信管理部５００５及び表示管理部５００２の処理手順を説明する。
最初に、電源監視部４００４の処理手順について説明する。
まず、電源電圧検知器４００８からの入力を測定し、電圧レベル判定を行う（Ｓ２１）。
電圧判定レベルは、低限界、すなわち、所定の最低電圧限界であるかどうか判定する（Ｓ２２）。低限界は、電源管理表８００１の「それ以下」８００４の電源レベル８０％である。ここで、電圧が低限界を上回る場合は、所定のレベル２の電圧であるかどうか判定する（Ｓ２３）。電圧がレベル２を上回る場合は、所定のレベル１の電圧であるかどうか判定する（Ｓ２４）。電圧がレベル１を上回り、Ｓ０２〜Ｓ０４（または同様な比較列）のいずれにも該当しない場合、電源電圧は申し分のない完全状態であるものとして、完全状態を記憶する。この記憶は具体的には、送信間隔Ｓ３１なるデータ保持部へのデータ書込みにより行う（Ｓ３１）。
【００４５】
そして、Ｓ０１〜Ｓ０５の処理を所定の時間間隔で行うために、しばし時間を待つ。電池５０１２の消耗にくらべてマイコンの動作速度は極めて速く、前記処理が０．１ｍｓ以内で終了するため、恒常的に電源監視する必要が無いためである（Ｓ２６）。
所定の時間が経過していればＳ０１に戻り、未経過ならば、しばらくＳ０６にて時間間隔を待つ（Ｓ２７）。なお、Ｓ０６〜Ｓ０７のような時間待ち機能はソフトウエアの種類によらず共通であるため、前出リアルタイムＯＳの基本機能として提供されることが多い。
【００４６】
Ｓ２２で現在電圧が低限界より下回っていると判定した場合、無線送信不可能である旨を記憶する（Ｓ２８）。この記憶は具体的には、送信間隔Ｓ３１なるデータ保持部へのデータ書込みにより行う。
また、Ｓ２３で現在電圧がレベル２より下回っていると判定した場合、レベル２である旨を記憶する（Ｓ２９）。この記憶は具体的には、送信間隔Ｓ３１なるデータ保持部へのデータ書込みにより行う。
また、Ｓ２４で現在電圧がレベル１より下回っていると判定した場合、レベル１である旨を記憶する（Ｓ３０）。この記憶は具体的には、送信間隔Ｓ３１なるデータ保持部へのデータ書込みにより行う。
【００４７】
次に、機器状態整合部４００３の処理手順について説明する。
まず、電源監視部４００４にて記憶している電池電源状態のうち、無線の送受信の可不可を判定する（Ｓ３２）。具体的には、電源監視部４００４で記憶した送信間隔Ｓ３１に記載された送受信可不可を読み出す。
そして、Ｓ３３による判定が送信不可と判明したら、再度判定する（Ｓ３３）。なお、ここで、送信不可であればリモコンとして機能しないので、機器状態整合部は機能を停止してもよい。
次に、Ｓ３３による判定が送信可と判明したら、送信間隔を取得する（Ｓ３４）。具体的には、前記電源監視部４００４で記憶した送信間隔Ｓ３１に記載された送信間隔値を読み出す。
【００４８】
次に、照明等と他のリモコン（１）１３００７、リモコン（１１）１３０１２と無線通信を行い、電池５０１２の状態及び照明等の現在状態を得るための状態整合通信要求を行う（Ｓ３５）。具体的には、通信管理部５００５への要求伝達を行う。なお、このような伝達処理はマルチタスク・プログラミングではよくあるため、リアルタイムＯＳが時分割処理の一端として機能提供していることが多い。もしそういう機能が無い場合でも、前記送信間隔Ｓ３１と同様の手法で伝達できることはいうまでもない。
そして、Ｓ３５にて状態整合通信要求に対する他のリモコン（１）１３００７かリモコン（１１）１３０１２の応答により、Ｓ３４にて取得した送信間隔から電池５０１２の状態がレベル１かレベル２なのか、または、照明等の現在状態等の整合状態を伝達する（Ｓ３６）。次に、Ｓ３４にて取得した送信間隔に基づき、所定の時間を待ち（Ｓ３７）。この所定の時間が経過していなければ再びＳ３７により待ち、所定の時間が経過していればＳ３２に戻る（Ｓ３８）。なお、Ｓ３７、Ｓ３８のような時間待ち機能はソフトウエアの種類によらず共通であるため、前出リアルタイムＯＳの基本機能として提供されることが多い。
【００４９】
次に、通信管理部５００５の処理手順を説明する。
まず、Ｓ３５の状態整合通信要求からの要求伝達が無いかを待つ（Ｓ３９）。そして、  Ｓ３９にて要求伝達が無ければＳ３９に戻る（Ｓ４０）。なお、Ｓ３９、Ｓ４０のような要求待ち機能はソフトウエアの種類によらず共通であるため、リアルタイムＯＳの基本機能として提供されることが多い。次に、無線により、状態整合のための（状態整合）送信を行う（Ｓ４１）。具体的には通信管理部５００５に対して、照明等の現在状態を取得する電文を演算生成し、送信要求する。そして、無線により、状態整合のための（状態整合）受信を行う。具体的には通信管理部５００５からの受信電文を解析し、電池５０１２の状態がレベル２となったときの使用不能予告や照明Ｂ１３０１４ａ等の現在状態を判定する。ここで、Ｓ４１、Ｓ４２では応答が速やかにあったかどうか、あった場合正常な電文応答であるかどうか、応答無い場合は異常でないか、異常ならば再度送信し、その応答があるかどうか、といった処理を実際には行うが、これらの通信の一般手順については説明を省略する。
【００５０】
次に、表示管理部５００２の処理手順を説明する。
まず、Ｓ３６の状態整合処理の伝達の要求が無いかを待つ（Ｓ４３）。そして、照明Ａ１３０１３ａ等の点灯状態等の変化があれば液晶５０１１の表示を更新させる（Ｓ４７）。また、他のリモコン（１）１３００７等の状態変化があれば液晶５０１１の表示を更新させる（Ｓ４７）。具体的には、電池５０１２の電圧がレベル２のときに、使用不能となるまで使用不能予告の合図を点滅などで表示させる。
【００５１】
なお、使用不能の合図は、液晶５０１１に表示する他に、例えば、使用不能と予測されたリモコン（１）１３００２と照明Ｂ１３０１４ａ間の常状態合わせ時の送受信の間隔を意図的に長くするか、または、意図的な間隔の引き伸ばしを、出力不能と予測されたリモコン（１）１３００２の電池５０１２の電圧レベル１レベル２をリモコン（１）１３００７の使用不能の度合いの評価として、この評価に応じて徐々に引き延ばすようにする。具体的には、図１９〜図２１に示すように、レベル１では１００ｍｓ（間隔１）、レベル２では５０００ｍｓ（間隔２）と徐々に引き延ばす。また、使用不能のリモコン（１）１３００２が復帰したときに、機器状態整合部４００３は復帰合図を通信管理部５００５から送信させる。そして、リモコン（１）１３００２からの送受信が開始されたことを復帰合図とみなす。
【００５２】
以上のように、各リモコン（１）１３００２、リモコン（１）１３００７、リモコン（３）は電池５０１２の電圧を検知する電源電圧検知器４００８を備え、いずれかの機器状態整合部４００３が電源電圧検知器４００８の検知電圧に基づいて、出力操作不能になると予測したときに、出力操作不能になると予測された例えばリモコン（１）１３００２が出力不能となるまで、使用不能予告の合図をリモコン（１）１３００２の無線送受信器５００９から送信させるので、あらかじめリモコンの状態がわかり使い勝手をよくすることができる。
また、使用不能の合図は照明Ａ１３０１３ａ等と出力不能と予測されたリモコン（１）１３００２間の定常状態合わせ送受信の間隔を意図的に長くすることによって行うので、使用状況の程度がわかり使い勝手をよくすることができる。
【００５３】
また、送受信の意図的な間隔の引き伸ばしを、出力不能と予測されたリモコン（１）１３００２の不能の度合いに対応する所定の評価に応じて徐々に引き延ばすので、使用状況の程度がよくわかり使い勝手をよりよくすることができる。
また、使用不能の予告の合図を、代替リモコンの液晶５０１１に表示させるので、さらに使い勝手をよくすることができる。
【００５４】
なお、電源監視部４００４の処理手順において、電圧レベル判定Ｓ０１では、別に判定しているが、電源管理表８００１を用いてソフトウエアを共通化してもよい。
また、本実施の形態では電源監視部４００４電源電圧検出器４００８をリモコン（１）１３００２等に設けたが、照明Ａ１３０１３ａ等に設けてもよい。
【図面の簡単な説明】
【００５５】
【図１】この発明の実施の形態１に係わる設備機器のシステム構成概念図である。
【図２】この発明の実施の形態１に係わる図２はリモコンと照明との配置例の説明図である。
【図３】この発明の実施の形態１に係わる照明管理システムのリモコンの構成図である。
【図４】この発明の実施の形態１に係わる照明管理システムの照明の端末構成図である。
【図５】この発明の実施の形態１に係わる照明管理システムのリモコンのソフトウエア構成図である。
【図６】この発明の実施の形態１に係わる照明管理システムのソフトウエア構成図である。
【図７】この発明の実施の形態１に係わる照明管理システムの動作フローチャートである。
【図８】この発明の実施の形態１に係わる照明管理システムの配置図である。
【図９】この発明の実施の形態１に係わる照明管理システムの端末位置管理表である。
【図１０】この発明の実施の形態１に係わる照明管理システムの動作説明図である。
【図１１】この発明の実施の形態１に係わる照明管理システムの動作説明図である。
【図１２】この発明の実施の形態１に係わる照明管理システムの動作説明図である。
【図１３】この発明の実施の形態１に係わる照明管理システムの配置図である。
【図１４】この発明の実施の形態１に係わる照明管理システムの配置図である。
【図１５】この発明の実施の形態１に係わる照明管理システムの端末電波強度管理表である。
【図１６】この発明の実施の形態２に係わる照明管理システムのリモコンの構成図である。
【図１７】この発明の実施の形態２に係わる照明管理システムのリモコンのソフトウエア構成図である。
【図１８】この発明の実施の形態２に係わる照明管理システムの動作フローチャートである。
【図１９】この発明の実施の形態２に係わる照明管理システムの電源管理表である。
【図２０】この発明の実施の形態２に係わる照明管理システムのリモコンからの送信間隔を示す図である。
【図２１】この発明の実施の形態２に係わる照明管理システムの電池電圧と送信間隔の関係図である。
【符号の説明】
【００５６】
４００４  電源監視部、４００１  リモコン、４００３  機器状態整合部、４００５  通信管理部、４００８  電源電圧検出器、４００９  無線送受信器、４０１３  電源電圧検知部、４０１５  マイコン、５００１  液晶、５００２  表示管理部、５００３  機器状態整合部、５００５  通信管理部、５００６  接点入出力部、５００７  液晶管理部、５００８  電源電圧検知器、５００９  無線送受信器、５０１０  操作ボタン、５０１１  液晶、５０１２  電池、５０１５  マイコン、６００１  照明端末、６００２  リモコン検索部、６００３  機器状態整合部、６００４  端末位置管理部、６００５  通信管理部、６００６  接点入出力部、６００９  無線送受信器、６０１２  電源、６０１５  マイコン、７００１  端末位置管理表、８００１  電源管理表、８００２  電源レベル、９００１  端末電波強度管理表。
【図１】
2006211496.tif 000003
【図２】
2006211496.tif 000004
【図３】
2006211496.tif 000005
【図４】
2006211496.tif 000006
【図５】
2006211496.tif 000007
【図６】
2006211496.tif 000008
【図７】
2006211496.tif 000009
【図８】
2006211496.tif 000010
【図９】
2006211496.tif 000011
【図１０】
2006211496.tif 000012
【図１１】
2006211496.tif 000013
【図１２】
2006211496.tif 000014
【図１３】
2006211496.tif 000015
【図１４】
2006211496.tif 000016
【図１５】
2006211496.tif 000017
【図１６】
2006211496.tif 000018
【図１７】
2006211496.tif 000019
【図１８】
2006211496.tif 000020
【図１９】
2006211496.tif 000021
【図２０】
2006211496.tif 000022
【図２１】
2006211496.tif 000023